(57)【要約】【課題】ＤＶＩ規格のコネクタにＤＰ規格のディスプレイを接続するアダプタを提供する。【解決手段】  コンピュータ・システム１０には、デュアル・モードで動作するビデオ・カードと、ＤＶＩ規格のコネクタ３７が実装されている。アダプタ１００には、ＤＰ規格のディスプレイ５０が接続される。スイッチ１１７は、リセットされたときにオフ状態になっている。コンピュータ・システム１０は、コネクタ３７にデバイスが接続されたことを検出すると、ＤＶＩ規格に基づくプロトコルで識別回路１０９に識別信号を送る。そして、ＤＶＩ規格に適合するディスプレイ以外のデバイスがコネクタ３７に接続されたことを認識したときに、識別回路１０９に制御信号を送ってスイッチをオン状態にしてからＤＰ規格に基づくプロトコルで第２のディスプレイに識別信号を送る。【選択図】図３
2010101976.tif 000002
【特許請求の範囲】
【請求項１】
第１の規格に適合する第１のディスプレイと、第２の規格に適合する第２のディスプレイと、前記第１のディスプレイの接続が可能なホスト・コネクタから前記第１の規格に適合する画像データまたは前記第２の規格に適合する画像データを選択的に出力するコンピュータ・システムと、前記コンピュータ・システムと前記第２のディスプレイを接続するアダプタとで構成されるディスプレイ接続システムであって、
前記アダプタは、
識別ピンを備え前記ホスト・コネクタに接続が可能な一次側コネクタと、
前記第２のディスプレイに接続が可能な二次側コネクタと、
前記一次側コネクタから前記二次側コネクタに画像データを転送するデータ・ラインと、
前記識別ピンから前記二次側コネクタに識別信号を転送する識別ラインと、
前記識別ラインに挿入され前記アダプタがリセットされたときにオフ状態になる第１のスイッチと、
前記識別ピンに接続され、前記第１の規格に基づくプロトコルの識別信号を前記コンピュータ・システムから受け取り、続いて前記第１の規格に基づくプロトコルの制御信号を前記コンピュータ・システムから受け取って前記第１のスイッチをオン状態に移行させる識別回路とを有し、
前記コンピュータ・システムは、
前記ホスト・コネクタに前記第１のディスプレイ以外のデバイスが接続されたことを認識したときに前記識別ピンに前記制御信号を送り、前記第１のスイッチがオン状態に移行してから前記識別ピンに前記第２の規格に基づくプロトコルの識別信号を送るように構成されている
ディスプレイ接続システム。
【請求項２】
前記第１の規格がＤＶＩ（Digital Visual Interface）であり、前記第２の規格がＤＰ（DisplayPort）である請求項１に記載のディスプレイ接続システム。
【請求項３】
前記第１の規格に基づく識別信号の電圧が、前記第２の規格に基づく識別信号の電圧よりも高い請求項１または請求項２に記載のディスプレイ接続システム。
【請求項４】
前記コンピュータ・システムは、前記識別回路が固有アドレスを保有することを認識したときに前記制御信号を送る請求項１ないし請求項３のいずれかに記載のディスプレイ接続システム。
【請求項５】
前記コンピュータ・システムは、前記第２のディスプレイが接続された前記アダプタが前記ホスト・コネクタに接続されたことを検出したことに応答して前記識別回路に前記識別信号を送る請求項１ないし請求項４のいずれかに記載のディスプレイ接続システム。
【請求項６】
前記コンピュータ・システムがノートブック型コンピュータと機能拡張装置で構成され、前記ホスト・コネクタが前記機能拡張装置に取り付けられている請求項１ないし請求項５のいずれかに記載のディスプレイ接続システム。
【請求項７】
第１の規格に適合する画像データまたは第２の規格に適合する画像データを前記第１の規格に適合する第１のディスプレイの接続が可能なホスト・コネクタから選択的に出力するコンピュータ・システムに前記第２の規格に適合する第２のディスプレイを接続するためのアダプタであって、
識別ピンを備え前記ホスト・コネクタに接続が可能な一次側コネクタと、
前記第２のディスプレイに接続が可能な二次側コネクタと、
前記一次側コネクタから前記二次側コネクタに画像データを転送するデータ・ラインと
前記識別ピンから前記二次側コネクタに識別信号を転送する識別ラインと、
前記識別ラインに挿入され前記アダプタがリセットされたときにオフ状態になる第１のスイッチと、
前記識別ピンに接続され、前記第１の規格に基づくプロトコルの識別信号を前記コンピュータ・システムから受け取り、続いて前記第１の規格に基づくプロトコルの制御信号を前記コンピュータ・システムから受け取って前記第１のスイッチをオン状態に移行させる識別回路とを有し、
前記識別ラインは前記第１のスイッチがオン状態のときに前記識別ピンから前記二次側コネクタに前記第２の規格に基づくプロトコルの識別信号を転送するアダプタ。
【請求項８】
前記第１の規格がＤＶＩ（Digital Visual Interface）であり、前記第２の規格がＤＰ（DisplayPort）である請求項７に記載のアダプタ。
【請求項９】
前記第１の規格に基づく識別信号の電圧は前記第２の規格に基づく識別信号の電圧よりも高い請求項８または請求項９に記載のアダプタ。
【請求項１０】
前記データ・ラインおよび前記識別ラインには、カップリング変換をするための直列コンデンサが挿入されている請求項７ないし請求項９のいずれかに記載のアダプタ。
【請求項１１】
前記識別ピンと前記識別回路との間に挿入され前記アダプタがリセットされたときにオン状態である第２のスイッチを有し、前記識別回路は前記第１のスイッチをオン状態に移行させるときに前記第２のスイッチをオフ状態に移行させる請求項７ないし請求項１０のいずれかに記載のアダプタ。
【請求項１２】
前記一次側コネクタと前記二次側コネクタに接続され、前記二次側コネクタに前記ディスプレイが接続されているときに前記ホスト・コネクタに検出信号を送る検出ラインを有する請求項７ないし請求項１１のいずれかに記載のアダプタ。
【請求項１３】
前記検出ラインに接続され、前記二次側コネクタから前記ディスプレイが取り外されたときに前記アダプタをリセットして前記第１のスイッチをオフ状態に移行させる制御回路を有する請求項１２に記載のアダプタ。
【請求項１４】
請求項７ないし請求項１３のいずれかに記載されたアダプタが接続され、前記第１の規格に適合する画像データまたは前記第２の規格に適合する画像データを前記ホスト・コネクタから選択的に出力するコンピュータ・システムに、
前記第１の規格に基づくプロトコルの識別信号を前記識別ピンに送る機能と、
前記ホスト・コネクタに前記第１のディスプレイ以外のデバイスが接続されたことを認識して前記制御信号を送る機能と、
前記第１のスイッチがオン状態に移行してから前記第２の規格に基づくプロトコルの識別信号を前記識別ピンに送る機能と
を実現させるコンピュータ・プログラム。
【請求項１５】
第１の規格に適合する第１のディスプレイと、第２の規格に適合する第２のディスプレイと、前記第１のディスプレイの接続が可能なホスト・コネクタから前記第１の規格に適合する画像データまたは前記第２の規格に適合する画像データを選択的に出力するコンピュータ・システムと、一次側コネクタと二次側コネクタと該一次側コネクタの識別ピンと該二次側コネクタとの間で識別信号を転送する識別ラインを備え前記コンピュータ・システムと前記第２のディスプレイを接続するアダプタとで構成されるディスプレイ接続システムにおいて、前記コンピュータ・システムに、
前記第２のディスプレイが接続された前記アダプタが前記ホスト・コネクタに接続されたことを検出する機能と、
前記識別ラインが切断されたアダプタに前記識別ピンを通じて前記第１の規格に基づくプロトコルでアクセスして前記ホスト・コネクタに接続されたデバイスが前記第１のディスプレイではないことを認識する機能と、
前記第１のディスプレイではないと認識したことに応答して前記識別ラインを導通させる機能と、
前記識別ラインを通じて前記第２の規格に基づくプロトコルで前記第２のディスプレイにアクセスする機能と
を実現させるコンピュータ・プログラム。
【請求項１６】
第１の規格に適合する第１のディスプレイと、第２の規格に適合する第２のディスプレイと、前記第１のディスプレイの接続が可能なホスト・コネクタから前記第１の規格に適合する画像データまたは前記第２の規格に適合する画像データを選択的に出力するコンピュータ・システムと、一次側コネクタと二次側コネクタと該一次側コネクタの識別ピンと該二次側コネクタとの間で識別信号を転送する識別ラインを備え前記コンピュータ・システムと前記第２のディスプレイを接続するアダプタとで構成されるディスプレイ接続システムにおける画像データの表示方法であって、
前記二次側コネクタと前記第２のディスプレイを接続するステップと、
前記アダプタが前記識別ラインを切断するステップと、
前記ホスト・コネクタに前記アダプタが接続されたことを前記コンピュータ・システムが検出するステップと、
前記コンピュータ・システムが前記識別ピンを通じて前記アダプタに前記第１の規格に基づくプロトコルでアクセスして前記ホスト・コネクタに接続されたデバイスが前記第１のディスプレイではないことを認識するステップと、
前記認識するステップに応答して前記コンピュータ・システムが前記識別ラインを導通させるように前記アダプタを制御するステップと、
前記コンピュータ・システムが前記識別ラインを通じて前記第２の規格に基づくプロトコルで前記第２のディスプレイにアクセスするステップと
を有する表示方法。
【請求項１７】
前記制御するステップが、前記コンピュータ・システムが保有する固有アドレスと前記アダプタが保有する固有アドレスが一致したことを判断するステップを含む請求項１６に記載の表示方法。
【発明の詳細な説明】
【技術分野】
【０００１】
本発明は、異なる規格のデータ形式で画像データを出力できるデュアル・モードのコンピュータ・システムに２つのディスプレイのいずれかを接続するアダプタに関する。
【背景技術】
【０００２】
現在、コンピュータとディスプレイを接続するためのインターフェース規格の一つとして、ＤＤＷＧ（Digital Display Working Group）によって１９９９年に策定されたＤＶＩ（Digital Visual Interface）規格が採用されている。ＤＶＩ規格は、液晶ディスプレイやデジタル・プロジェクタなどのデジタル・ディスプレイに、コンピュータから直接デジタル信号を送ることでディスプレイの性能を最大限に発揮させて表示をすることができる。ＤＶＩ規格では、SiliconImage社が開発したＴＭＤＳ(Transition Minimized Differential Signaling)というシリアル転送方式を採用している。ＴＭＤＳでは、３つのエンコーダにそれぞれ入力された８ビットの画素データと２ビットの制御データは、１０ビットの連続したＴＭＤＳシリアル・データ・ストリームに変換される。
【０００３】
これに対して、ＶＥＳＡ（Video Electronics Standards Association）によって、ＤＰ（DisplayPort）という規格が策定されて、２００６年５月にDisplayPort Version 1が発行され、さらに、２００８年１月にはDisplayPort Version 1, Revision 1が発行された。ＤＰ規格は音声データも送信できるようになっており、ＬＶＤＳ（Low voltage differential signaling）規格、ＶＧＡ（Video Graphics Array）規格、およびＤＶＩ規格などを将来的に置き換えることを目的にしている。ＤＰ規格はＤＶＩ規格とはデータ形式が異なるマイクロ・パケットを使用してデータ転送を行うようになっている。
【０００４】
ＤＰ規格のコネクタ（以下、ＤＰコネクタという。）は、サイズがＤＶＩ規格のコネクタ（以下、ＤＶＩコネクタという。）よりも小さいため、大型のノートブック型コンピュータ（以下、ノートＰＣという。）に実装することは可能であるが、小型のノートＰＣに実装することは困難である。したがって、ＤＶＩ規格に対応したディスプレイ（以下、ＤＶＩディスプレイという。）をノートＰＣが外部モニタとして使用するために、ドッキング・ステーションまたはポートリプリケータという機能拡張装置にＤＶＩコネクタを設けていた。機能拡張装置は更新の頻度が低いこともあって、現在でも多くのユーザは、ＤＶＩコネクタが実装された機能拡張装置を使用している。
【０００５】
ＤＶＩ規格では入出力がＤＣカップリングにより行われるが、ＤＰ規格では入出力が直列コンデンサを介在したＡＣカップリングにより行われる。さらに、ＤＶＩ規格とＤＰ規格ではコネクタ形式が異なるため物理的なコネクタの接続に互換性がない。このように物理的接続構造、電気的接続構造およびデータ形式が相違する２つの規格が存在する中で、ノートＰＣにＤＶＩディスプレイおよびＤＰディスプレイのいずれも接続可能にするためのアダプタが提案されている。アダプタはＤＶＩコネクタとＤＰコネクタを備え、内部にＤＶＩ形式の画像データからとＤＰ形式の画像データに変換するプロトコル・コンバータとカップリング方式を変換する直列コンデンサを搭載している。
【０００６】
このようなアダプタの構造が非特許文献１の３１ページに記載されている。非特許文献１は、http://www.vesa.org/Standards/free.htmのＵＲＬから入手することができる。ただし、このアダプタは、ＤＶＩ規格だけに対応したシングル・モードのグラフィックス・チップを搭載するノートＰＣに対応するものであり、アダプタに搭載するプロトコル・コンバータは比較的高価で、消費電力も多くなるためあまり普及していない。近年、ノートＰＣには、ＤＶＩ規格とＤＰ規格のいずれにも対応できるデュアル・モードのグラフィックス・チップ（以下、デュアル・モード・チップという。）が搭載されるようになってきた。この場合、機能拡張装置にＤＰコネクタを実装したり、大型のノートＰＣでは本体にＤＰコネクタを実装したりすることができる。
【０００７】
コンピュータ側にＤＰコネクタを設けて、アダプタ経由でＤＶＩディスプレイに接続する技術が非特許文献１の１５ページおよび特許文献１に記載されている。この場合、デュアル・モード・チップは、ＤＰコネクタに用意された１３番ピン（以下、デバイス識別ピンという。）を通じて、アダプタとＤＰディスプレイのいずれが接続されたかを認識することができる。そして、デュアル・モード・チップがアダプタの接続を認識すると、ＤＶＩ形式の画像データを出力する。アダプタは画像データをＤＣカップリングに変換してＤＶＩディスプレイに出力する。
【特許文献１】特開２００８−５４８２号公報
【非特許文献１】VESA DisplayPort Interoperability Guideline Version 1.1 January 28,2008
【発明の開示】
【発明が解決しようとする課題】
【０００８】
ノートＰＣにデュアル・モード・チップを搭載することは、アダプタからプロトコル・コンバータを取り除くことができるので有利である。しかし、ＤＶＩコネクタだけが実装された機能拡張装置の使用を続けているユーザは、デュアル・モード・チップを搭載したノートＰＣを使用するときに、ＤＶＩコネクタに接続ができるアダプタを使用してＤＰディスプレイの接続をする必要がある。このとき、上述のプロトコル・コンバータを搭載したアダプタを使用しないで、ノートＰＣから出力されたＤＶＩ形式の画像データまたはＤＰ形式の画像データを対応するディスプレイに表示することが望まれる。
【０００９】
これまでの機能拡張装置に実装されるＤＶＩコネクタに対しては、ＤＶＩディスプレイ以外のデバイスが接続されることを予定していなかったため、ＤＰコネクタの１３番ピンに対応するデバイス識別ピンを構成してアダプタやディスプレイなどのデバイスを認識する回路が形成されていない。ＤＶＩコネクタから画像データを出力するノートＰＣは、デュアル・モード・チップを搭載する場合にアダプタを介在しないで接続されたＤＶＩディスプレイを認識する必要があるので、ＤＶＩコネクタになんらかのデバイスが接続されたことを検出すると、ＤＶＩ規格のプロトコルでデバイスの種類を認識するように構成する必要がある。
【００１０】
したがって、ノートＰＣはアダプタが接続されたときには、ＤＶＩ規格のプロトコル、周波数、および電圧で識別信号を送ってデバイスの種類を認識することになる。一方、ノートＰＣは、接続されたデバイスがアダプタであることを認識したときは、ＤＰ規格のプロトコル、周波数、および電圧で識別信号を送ってＤＰディスプレイのＥＤＩＤ（Extended Display Identification Data）を読み取る必要がある。ＤＶＩ規格のコネクタには、ＤＶＩ形式の信号とＤＰ形式の信号が供給されるが、データ・ピン、識別ピン、およびデバイス検出ピンなどには共通のピンが割り当てられる。そして、アダプタを認識する際のＤＶＩ規格の電圧はＤＰ規格の電圧よりも高いため、アダプタを認識する際にＤＶＩ規格の高い電圧がＤＰディスプレイに印加されて素子の破損をもたらすことがないようにする必要がある。
【００１１】
機能拡張装置およびデュアル・モード・チップを搭載したノートＰＣを新規に設計および製造する場合には、２つの規格のディスプレイを接続するために、機能拡張装置にＤＰコネクタだけを実装して非特許文献１に記載されたアダプタを使用したり、機能拡張装置にＤＶＩコネクタとＤＰコネクタを実装したりすることができる。さらに、機能拡張装置にＤＶＩコネクタだけを実装してデバイス識別ピンを構成したりすることで対応することも可能である。しかし、すでに販売されているＤＶＩコネクタが実装された機能拡張装置およびデュアル・モード・チップが搭載されたノートＰＣに対して、ＤＰディスプレイをＤＶＩコネクタに接続するアダプタはこれまで実現されていない。
【００１２】
そこで本発明の目的は、デュアル・モード・チップを搭載したコンピュータ・システムに規格の異なる２つのディスプレイの一方を接続するためのアダプタを提供することにある。さらに本発明の目的は、デバイス識別ピンが構成されていないコネクタが実装されたコンピュータ・システムに規格の異なる２つのディスプレイの一方を接続するためのアダプタを提供することにある。さらに本発明の目的は、デバイスの認識に使用する電圧が異なる２つのディスプレイの一方を電圧が高い方の規格のコネクタを備えるコンピュータ・システムに接続するためのアダプタを提供することにある。さらに本発明の目的は、そのようなアダプタを使用したディスプレイ接続システム、画像データの表示方法、およびコンピュータ・プログラムを提供することにある。
【課題を解決するための手段】
【００１３】
本発明においては、コンピュータ・システムは第１の規格に適合する画像データまたは第２の規格に適合する画像データを選択的に出力することが可能なデュアル・モード・チップを搭載している。コンピュータ・システムには、第１の規格に適合するホスト・コネクタが設けられており、第１の規格に適合する画像データおよび第２の規格に適合する画像データはいずれもホスト・コネクタから出力される。コンピュータ・システムには、第１の規格に適合する第１のディスプレイがホスト・コネクタに直接接続され、第２の規格に適合する第２のディスプレイがアダプタ経由で接続される。
【００１４】
コンピュータ・システムは、第１のディスプレイが接続されたことを認識したときは第１の規格に適合する画像データを出力し、アダプタ経由で第２のディスプレイが接続されたことを認識したときは第２の規格に適合する画像データを選択的に出力する。第１の規格をＤＶＩとし、第２の規格をＤＰとすることができる。この場合本発明では、すでに出荷されているデバイス識別ピンが構成されていないＤＶＩコネクタが実装されたコンピュータ・システムにデュアル・モードのビデオ・カードを搭載して、ＤＰ規格の第２のディスプレイに画像データを表示する場合のアダプタを提供することができる。
【００１５】
機能拡張装置を新規に製造する場合には、デバイス識別ピンを構成したＤＰコネクタを実装して非特許文献１に記載されたアダプタを利用することで、デュアル・モードに対応することができる。しかし、機能拡張装置は比較的長期間に渡って使用され続ける。すでに使用されている機能拡張装置には、デバイス識別ピンが構成されていないＤＶＩコネクタが実装されているが、本発明にかかるアダプタを使用することでＤＰディスプレイを接続できるようになる。
【００１６】
アダプタは、ホスト・コネクタに接続が可能な一次側コネクタと、第２のディスプレイに接続が可能な二次側コネクタと、一次側コネクタから二次側コネクタに画像データを転送するデータ・ラインと、一次側コネクタの識別ピンから二次側コネクタに識別信号を転送する識別ラインと、識別ラインに挿入されアダプタがリセットされたときにオフ状態である第１のスイッチと、識別ピンに接続されコンピュータ・システムから第１の規格に基づくプロトコルの識別信号と制御信号を受け取る識別回路とを備える。
【００１７】
ホスト・コネクタには、第１の規格に基づく信号と第２の規格に基づく信号が供給されるが、識別信号が転送される識別ピンは共用される。ホスト・コネクタに何らかのデバイスが接続されたときには、コンピュータ・システムは、第１の規格に適合するデバイスが接続されたと推定して、ホスト・コネクタの識別ピンから第１の規格に基づくプロトコルで識別信号を出力する。コンピュータ・システムは、何らかのデバイスが接続されたときに、ホスト・コネクタと同じ規格である第１の規格に基づくプロトコルで当該デバイスにアクセスすることで、ホスト・コネクタに直接第１のディスプレイが接続されたときにも支障なく認識することができる。
【００１８】
ホスト・コネクタには、第１のディスプレイまたはアダプタのいずれかが接続されることになっている。コンピュータ・システムは、第１のディスプレイ以外のデバイスがホスト・コネクタに接続されたことを第１の規格に基づくプロトコルの識別信号で認識したときは、識別回路に第１の規格に基づくプロトコルの制御信号を送る。このとき、コンピュータ・システムとアダプタがそれぞれアダプタの固有アドレスを保有し、コンピュータ・システムが固有アドレスを含んだ識別信号を識別回路に送り、識別回路が保有する固有アドレスと一致したときに制御信号を送るようにしてもよい。このようにすることで、コンピュータ・システムが第１のスイッチを切り換える制御の支配権を保有して、接続されたデバイスがアダプタであることを積極的に認識してから制御信号を送ることができるので、アダプタの模造品が接続されることを防ぐことができる。
【００１９】
第１のスイッチがオン状態に移行すると、ホスト・コネクタの識別ピンと第２のディスプレイとの間の識別ラインが導通するので、コンピュータ・システムは識別ラインを経由して第２のディスプレイに第２の規格に基づくプロトコルで識別信号を送り、ＥＤＩＤを取得して第２の規格に適合する画像データを第２のディスプレイに送ることができる。第１の規格に基づく識別信号と第２の規格に基づく識別信号が、ホスト・コネクタの同一の識別ピンから出力され、第２の規格に基づく識別信号の電圧より第１の規格に基づく識別信号の電圧が高い場合でも、第１のスイッチの作用により高い電圧が第２のディスプレイに印加されることがなくなり、安全性を確保することができる。
【００２０】
データ・ラインおよび識別ラインには、カップリング変換をするための直列コンデンサを挿入すれば、第１の規格がＤＣカップリングで第２の規格がＡＣカップリングの場合にも対応することができる。識別ピンと識別回路との間には、第２のスイッチを挿入することができる。そして、第２のスイッチを、アダプタがリセット状態のときにオン状態にし、第１のスイッチがオン状態に移行するときにオフ状態に移行させると、コンピュータ・システムが第２のディスプレイと通信を開始する際には、識別回路がアダプタの回路から切り離され、識別ラインにデータ転送の品質低下を招く容量成分が加わることを排除することができる。
【００２１】
アダプタに検出ラインを設け、二次側コネクタにディスプレイが接続されているときに限り検出ラインを通じてホスト・コネクタに一次側コネクタが接続されたことをコンピュータ・システムが認識するように構成することができる。その結果、アダプタだけがコンピュータ・システムに接続された状態で、コンピュータ・システムの画像データ生成回路が動作することがないため、省電力を図ることができる。
【発明の効果】
【００２２】
本発明により、デュアル・モード・チップを搭載したコンピュータ・システムに規格の異なる２つのディスプレイの一方を接続するためのアダプタを提供することができた。さらに本発明により、デバイス識別ピンが構成されていないコネクタが実装されたコンピュータ・システムに規格の異なる２つのディスプレイの一方を接続するためのアダプタを提供することができた。さらに本発明により、デバイスの認識に使用する電圧が異なる２つのディスプレイの一方を電圧が高い方の規格のコネクタを備えるコンピュータ・システムに接続するためのアダプタを提供することができた。さらに本発明により、そのようなアダプタを使用したディスプレイ接続システム、画像データの表示方法、およびコンピュータ・プログラムを提供することができた。
【発明を実施するための最良の形態】
【００２３】
［ディスプレイ接続システムの全体］
図１は、本発明の実施の形態にかかるディスプレイ接続システムの全体構成を示すブロック図である。ディスプレイ接続システムは、コンピュータ・システム１０、アダプタ１００、ＤＰディスプレイ５０、およびＤＶＩディスプレイ７０で構成されている。コンピュータ・システム１０は、ノートＰＣ１１と機能拡張装置３１で構成されている。ノートＰＣ１１は、ＣＰＵ１３、メイン・メモリ１７、ハードディスク・ドライブ（ＨＤＤ）１９、およびビデオ・カード２１がバス１５に接続されている。ビデオ・カード２１には、ノートＰＣ１１に組み込まれた液晶ディスプレイ（ＬＣＤ）２３が接続されている。ビデオ・カード２１およびバス１５は、機能拡張装置３１に接続するためのコネクタ２５に接続されている。
【００２４】
ビデオ・カード２１は、ＤＶＩ規格とＤＰ規格に適合した２つのデータ形式で画像データを出力することができるデュアル・モード・チップ、電源回路、ＰＬＬ、ＲＯＭ、およびＶＲＡＭを搭載している。ビデオ・カード２１は、ＬＣＤ２３への単独表示およびＬＣＤ２３とホスト・コネクタ３７に接続された外部ディスプレイへの同時表示が可能である。デュアル・モード・チップは、ディスプレイに対する描画データを生成する機能に加えて、ＤＶＩコネクタ３７に何らかのデバイスが接続されたことを検出する機能、接続されたデバイスを認識して当該デバイスからＥＤＩＤを取得する機能が組み込まれている。
【００２５】
なお、ビデオ・カード２１からＤＶＩコネクタ３７を通じて出力される信号は、ＤＶＩ規格の信号およびＤＰ規格の信号のいずれにおいてもＤＣカップリングで出力される。ＲＯＭには、アダプタ１００を識別するための固有アドレスが格納されている。ＨＤＤ１９には、オペレーティング・システム、アプリケーション・プログラムの他に、ＣＰＵ１３で実行されることでビデオ・カード２１を制御するデバイス・ドライバ（以下、ビデオ・ドライバという。）が格納されている。ビデオ・ドライバには、ノートＰＣ１１がホスト・コネクタに接続されたデバイスを認識してＥＤＩＤを取得し、ＤＶＩ形式の画像データまたはＤＰ形式の画像データを送るための機能が組み込まれている。
【００２６】
機能拡張装置３１には、ノートＰＣ１１を接続するためのコネクタ３３、拡張バス３５、およびＤＶＩコネクタ３７が設けられている。機能拡張装置３１は、一般的にポートリプリケータまたはドッキング・ステーションといわれている。機能拡張装置３１をポートリプリケータとして構成する場合は、ＤＶＩコネクタ３７に加えて、ノートＰＣ１１の携帯時には不要なシリアルポート、パラレルポート、ＰＳ／２ポート、およびＵＳＢポートなどのコネクタのみを備えるようにして、オフィスではノートＰＣ１１のコネクタ２５をポートリプリケータのコネクタ３３に接続することで拡張した機能を利用することができる。
【００２７】
機能拡張装置３１をドッキング・ステーションとして構成する場合は、ポートリプリケータの機能にさらに光学ドライブやハードディスク・ドライブなどのドライブや、ＰＣＩバスなどの拡張スロットを備えて、ノートＰＣ１１を接続したときにはデスクトップ・パソコン相当の拡張した機能を利用することができる。拡張バス３５には、さまざまなデバイスが接続されるが本発明の説明には必要がないので、図への記載および説明は省略する。
【００２８】
アダプタ１００はＤＶＩコネクタ１０１およびＤＰコネクタ１０３を備え、ＤＰディスプレイ５０をＤＶＩコネクタ３７に物理的および電気的に接続するために、主としてコネクタ形式の変換と電気的な結合（カップリング）の変換を行う装置である。ＤＰディスプレイ５０はＤＰコネクタ５１、表示装置５３、および識別回路５５を備えており、ＤＰ形式の画像データを表示装置５３に表示する。ＤＶＩディスプレイ７０は、ＤＶＩコネクタ７１、表示装置７３、および識別回路７５を備えており、ＤＶＩ形式の画像データを表示装置７３に表示する。アダプタ１００においては、ＤＶＩコネクタ１０１にＤＣカップリングで入力されたＤＰ形式の信号は、ＤＰコネクタ１０３からＡＣカップリングで出力される。
【００２９】
［ピン・マッピング］
図２は、ＤＶＩコネクタ３７におけるＤＰ形式の信号が通過するピンとＤＶＩ形式の信号が通過するピンの対応関係を説明する図である。ＤＶＩコネクタ３７には、ビデオ・カード２１からＤＶＩ形式だけでなくＤＰ形式の信号も供給される。したがって、ＤＶＩコネクタ３７の各ピンにマッピングするＤＰ形式のピンを規定しておく必要がある。デジタル用のＤＶＩコネクタには、デジタル専用（ＤＶＩ−Ｄ）とデジタルおよびアナログ兼用（ＤＶＩ−Ｉ）がある。また、いずれのコネクタでもデジタル部分は、シングル・リンクとディユアル・リンク（ＤＶＩ−ＤＬ）のいずれかで構成される。本発明はこれらのいずれのコネクタにも適用することができるが、以下、シングル・リンクのＤＶＩ−Ｄを例にして説明する。
【００３０】
ＤＶＩコネクタ３７には、ＲＧＢ信号を転送する３対のピンと、クロック信号を転送する１対のピンで構成された４対のＴＭＤＳ＿Ｄａｔａ（０〜３、Ｃｌｏｃｋ）ピンが存在する。ビデオ・カード２１がＤＶＩモードで動作する場合は、ＴＭＤＳ＿Ｄａｔａピンから、ＤＣカップリングでＤＶＩディスプレイ７０に画像データが出力される。ビデオ・カード２１がＤＰモードで動作して、ＤＶＩコネクタ３７にＤＰ形式の信号が供給される場合は、４対のＴＭＤＳ＿Ｄａｔａピンが４対のＭａｉｎ＿Ｌｉｎｋ（０〜３）ピンとして使用される。各Ｍａｉｎ＿Ｌｉｎｋは、それぞれレーンといわれる差動対で構成されている。各レーンはＡＣカップリングでＤＰディスプレイ５０に接続される必要がある。ＡＣカップリングは、ＤＰ規格の送信機と受信機を共通の電位に維持する必要をなくしたり、ノイズ耐性に優れているため使用電圧を低下させてチップの消費電力を低減させたりするといった利点を備えている。４つのレーンはすべて画像データの転送に利用され、専用のクロック・チャネルは存在せず、クロック信号はレーンを通過するデータ・ストリームから抽出される。
【００３１】
ＤＶＩコネクタ３７には、また、ＤＤＣ＿ＣｌｏｃｋピンとＤＤＣ＿Ｄａｔａピン（以下、両者を併せてＤＤＣピンという。）が存在する。ＤＤＣピンは、ビデオ・カード２１がＤＶＩモードで動作するときに、ビデオ・カード２１がマスタとなり、ＤＶＩディスプレイがスレーブとなってＤＶＩ形式のＤＤＣ２Ｂというプロトコル、電圧、および周波数で通信（以下、ＤＤＣ通信という。）をすることにより、ＤＶＩディスプレイ７０のＥＤＩＤを読み取るために利用される。ＥＤＩＤは、デバイス識別情報およびディスプレイが表示可能な解像度やリフレッシュ・レートなどの情報で構成されている。ビデオ・ドライバは、ＥＤＩＤとビデオ・カード２１の性能に基づいて、ディスプレイに最大の性能で正しく画像が表示されるようにビデオ・カード２１にパラメータを設定する。ＤＤＣ２Ｂは、コンピュータがディスプレイを認識したり制御したりするための手順を定めた規格でＶＥＳＡにより策定された。ＤＤＣピンはまた同様にして本実施の形態にかかる手順でビデオ・カード２１がアダプタ１００にアクセスするためにも利用される。ＤＤＣ通信により、ビデオ・カード２１がＤＶＩディスプレイ７０の識別回路７５からＥＤＩＤを読み取る手順は周知である。ＤＤＣピンはＤＶＩディスプレイ７０にＤＣカップリングで接続される必要がある。
【００３２】
ビデオ・カード２１がＤＰモードで動作して、ＤＶＩコネクタ３７にＤＰ形式の信号が供給される場合は、ＤＤＣピンは、ＡＵＸ＿ＣＨ＋ピンとＡＵＸ＿ＣＨ−ピン（以下、両者を併せてＡＵＸ＿ＣＨピンという。）として利用される。ＡＵＸ＿ＣＨは、ＤＰ規格における半二重双方向通信を行うためのチャネルである。ＡＵＸ＿ＣＨでは、ビデオ・カード２１がＤＰモードで動作するときに、ビデオ・カード２１がマスタとなりＤＰディスプレイ５０がスレーブとなってＤＰ形式のプロトコル、電圧、および周波数で通信をすることにより、ＤＰディスプレイ５０のＥＤＩＤを読み取るために利用される。ＡＵＸ＿ＣＨピンはＤＰディスプレイ５０にＡＣカップリングで接続される必要がある。１対のＤＰ＿ＰＷＲピンと１本のＨｏｔ＿Ｐｌｕｇ＿Ｄｅｔｅｃｔ（ＨＰＤ）ピンは、ビデオ・カード２１がＤＶＩモードで動作するときもＤＰモードで動作するときも、それぞれ電源供給のためおよびＤＶＩコネクタ３７に接続されたデバイスの検出のために使用される。
【００３３】
ＤＶＩピンの割り当ては、ＤＶＩコネクタ１０１にも反映される。また、ＤＶＩピンに対するＤＰピンの割り当ては、ＤＰコネクタ１０３、５１にも反映される。ＤＰピンでは、デバイス識別ピンとして１３番ピンが割り当てられる。ＤＰコネクタ５１の１３番ピンは、コンピュータがＤＰディスプレイ５０を認識することができるようにプルアップ抵抗に接続されているが、すでに使用されている機能拡張装置に実装されたＤＶＩコネクタ３７はその信号を受け取るように構成されていない。したがって、ＤＶＩコネクタ３７に何らかのデバイスが接続されたときに、ビデオ・カード２１が、アダプタ１００を経由してＤＰディスプレイ５０のＥＤＩＤを取得するための構成が必要となる。
【００３４】
［ディスプレイ接続システムの詳細］
図３は、アダプタ１００を中心として、ディスプレイ接続システムの詳細を示すブロック図である。ディスプレイ接続システムにはノートＰＣ１１のさまざまな要素が関与するが、それらは本発明との関係では周知の範囲であるため、図３ではコンピュータ・システム１０として、ビデオ・カード２１だけを示している。ビデオ・カード２１は、ＤＶＩモードで動作するときもＤＰモードで動作するときも、ＤＶＩコネクタ３７から５Ｖの直流電圧をアダプタ１００に供給する。
【００３５】
ビデオ・カード２１は、ＤＶＩコネクタ３７に接続されたデバイスを認識し、バス１５を通じてＣＰＵ１３から受け取った描画情報に基づいて、ＤＶＩ形式の画像データまたはＤＰ形式の画像データを生成する。ビデオ・カード２１は、ＤＶＩコネクタ３７のＴＭＤＳピン、ＤＤＣピン、およびＨＰＤピンに接続されている。ビデオ・カード２１は、生成したＤＶＩ形式の画像データまたはＤＰ形式の画像データをＶＲＡＭに記憶し、所定のタイミングでＤＶＩコネクタ３７のＴＭＤＳピンからＤＣカップリングで直流信号として出力する。ビデオ・カード２１は、ＨＰＤピンを通じてＤＶＩコネクタ３７になんらかのデバイスが接続されたことを検出すると、ＤＶＩ規格のプロトコル（ＤＤＣ２Ｂ）と電圧（５Ｖ）によりＤＤＣピンを通じて当該デバイスと通信を行い接続されたデバイスの種類を認識して、ＥＤＩＤを取得する。
【００３６】
ビデオ・カード２１が、ＤＶＩコネクタ３７にＤＶＩディスプレイ７０が接続されていると認識したときは、ＤＶＩ形式のプロトコルでＤＶＩディスプレイからＥＤＩＤを読み取ると、ビデオ・ドライバがビデオ・カード２１の性能とＥＤＩＤを解釈して、ＤＶＩディスプレイ７０の解像度やリフレッシュ・レートなどに基づいてビデオ・カード２１に最適なパラメータを設定する。ビデオ・カード２１は、接続されたデバイスがＤＶＩディスプレイ７０ではないと認識したときは、さらに手順を進めてアダプタ１００が接続されたことを認識して、ＤＰ形式のプロトコルでＤＰディスプレイ５０からＥＤＩＤを読み取り、ビデオ・ドライバがＤＰディスプレイ５０の解像度やリフレッシュ・レートなどに基づいてパラメータをビデオ・カード２１に設定する。
【００３７】
アダプタ１００は、ＤＶＩコネクタ１０１、ＤＰコネクタ１０３、ＤＣ／ＤＣコンバータ１０５、リピータ１０７、識別回路１０９、制御回路１１１、直列コンデンサ１１３、直列コンデンサ１１５、ＦＥＴ１１７、ＦＥＴ１１９などの要素で構成されている。ＤＶＩコネクタ３７とＤＶＩコネクタ１０１のピン構成は同一である。ＤＰコネクタ１０３には、図２で説明したピン・マッピングにしたがって、ＤＶＩコネクタ１０１からの信号を受け取るようにＤＰ＿ＰＷＲ／ＤＰ＿ＰＷＲの電源ライン１２１、ＴＭＤＳ／Ｌａｎｅのデータ・ライン１２３、ＤＤＣ／ＡＵＸの識別ライン１２５、およびＨＰＤ／ＨＰＤの検出ライン１２７が接続されている。ＤＣ／ＤＣコンバータ１０５は、ビデオ・カード２１から受け取ったＤＣ５Ｖの電圧をＤＣ３．３Ｖの電圧に変換してＤＰコネクタ１０３から出力する。さらに、ＤＣ／ＤＣコンバータ１０５はアダプタ１００を構成する素子を動作させる電圧を生成する。
【００３８】
直列コンデンサ１１３は、データ・ライン１２３に直列に挿入され、画像データの信号から直流分を除去して、ＤＰコネクタ１０３に対してＡＣカップリングを実現する。識別ライン１２５に直列に挿入された直列コンデンサ１１５も同様に、ＤＰコネクタ１０３に対してＡＣカップリングを実現する。リピータ１０７は、アダプタ１００のＤＰコネクタ１０３からＤＰディスプレイ５０までのＤＰ規格に定められた伝送距離を維持するためにデータ信号の波形を整形したり増幅したりする。識別ラインに挿入されたＦＥＴ１１７は、直列コンデンサ１１５に直列に接続され、コンピュータ・システム１０がＤＶＩコネクタ３７に接続されたデバイスを認識する際に、ＤＰコネクタ５１のＡＵＸ＿ＣＨピンに高い電圧が印加されることを防ぐ役割を果たす。ＦＥＴ１１９は、識別ライン１２５に接続されたＤＶＩコネクタ１０１のＤＤＣピンと識別回路１０９の間に接続され、ビデオ・カード２１が、ＤＰディスプレイ５０がＤＰコネクタ１０３に接続されたアダプタ１００の接続を認識した後に、識別回路１０９をＤＶＩコネクタ３７の出力回路から切り離してそれ以後はアダプタ１００がＤＰディスプレイ５０に対する物理的な配線の中継だけを行うようにする。
【００３９】
識別回路１０９は、ＩＩＣバスの規格に適合したハードウエア論理回路で、内部にレジスタとアダプタ１００の識別情報である固有アドレスを格納したＲＯＭを含んでいる。識別回路１０９は、ＤＶＩコネクタ３７のＤＤＣ＿ＤａｔａピンとＤＤＣ＿Ｃｌｏｃｋピンに接続される。ビデオ・カード２１がＤＶＩモードで動作するときには、ＤＤＣ＿ＤａｔａピンとＤＤＣ＿Ｃｌｏｃｋピンには、それぞれ基準電位に対して０〜５Ｖの電圧が印加される。ＤＶＩコネクタ３７のＤＤＣ＿ＤａｔａピンとＤＤＣ＿Ｃｌｏｃｋピンはさらに、直列コンデンサ１１５およびこれに直列に接続されたＦＥＴ１１７を経由してＤＰコネクタ５１のＡＵＸ＿ＣＨ＋ピンおよびＡＵＸ＿ＣＨ−ピンに接続される。
【００４０】
ビデオ・チップ２１がＤＰモードで動作してＤＰディスプレイ５０にアクセスするときには、ＡＵＸ＿ＣＨ＋ピンとＡＵＸ＿ＣＨ−ピンの間に０．３２Ｖ〜１．３８Ｖの電圧が印加される。したがって、ビデオ・カード２１が識別回路１０９にアクセスする際に、ＤＶＩモードでの電圧がＤＰコネクタ５１に伝送されると、ＡＵＸ＿ＣＨ＋ピンとＡＵＸ＿ＣＨ−ピンの間に最大５Ｖの電圧が印加されて、そこに接続される素子を破壊する可能性がある。本実施の形態にかかるアダプタ１００は、コンピュータ・システム１０の制御のもとで、識別回路１０９、制御回路１１１およびＦＥＴ１１７が協働してこれを回避する。
【００４１】
識別回路１０９は、ビデオ・カード２１とＤＤＣ通信をすることができる。ＤＤＣ通信では、ビデオ・カード２１がマスタとなり識別回路１０９はスレーブとなって、マスタに応答する形式で通信を行う。識別回路１０９は、ビデオ・カード２１からＤＤＣ通信で制御信号を受け取ったときには、制御回路１１１を通じてＦＥＴ１１７、１１９を制御する。制御回路１１１は、識別回路１０９からの指示に基づいてＦＥＴ１１７、１１９を制御するハードウエア論理回路である。制御回路１１１には検出ライン１２７が接続されている。制御回路１１１は、検出ライン１２７がＤＰディスプレイ５０の接続を検出しない電位を示すときにはリセットされて、ＦＥＴ１１７をオフ状態にし、ＦＥＴ１１９をオン状態にする。ＦＥＴ１１７、１１９は、アダプタ１００がＤＶＩコネクタ３７から取り外されてＤＣ／ＤＣコンバータ１０５の電源が喪失したときにもリセット状態になる。
【００４２】
ＤＰディスプレイ５０は、ＤＰコネクタ５１、表示回路５３、識別回路５５、およびプルアップ抵抗５７を含んで構成されている。表示回路５３は、液晶パネル、駆動回路、およびバックライトなどで構成され、Ｍａｉｎ＿Ｌｉｎｋ＿Ｌａｎｅピンを通じてビデオ・チップ２１から受け取ったＤＰ形式の画像データを表示する。識別回路５５はＥＤＩＤを格納するＲＯＭを含み、ビデオ・カード２１とＤＰ規格のプロトコルで通信をすることで、ＤＰディスプレイ５０の性能を示すＥＤＩＤをコンピュータ・システム１０に提供する。プルアップ抵抗５７は、３．３Ｖの電圧で検出ライン１２７の電位をプルアップするための抵抗で、コンピュータ・システム１０が、ＤＶＩコネクタ３７にアダプタ１００を経由してＤＰディスプレイ５０が接続されたことを検出する役割を果たす。ただし、コンピュータ・システム１０は、ＤＶＩコネクタ３７にＤＶＩディスプレイ７０が接続されたときもＨＰＤピンを通じて同様に検出するので、いずれのデバイスが接続されたかを認識することはできない。
【００４３】
アダプタ１００は通常ＤＶＩコネクタ３７に接続され続けることが通常である。したがって、ＤＰコネクタ５１がＤＰコネクタ１０３に接続されていないときには、ビデオ・カード２１がデバイスの接続を検出しないようにすることで、その間はビデオ・カード２１およびＤＰアダプタ１００の動作を停止して、消費電力の低減を図ることができる。
【００４４】
ＤＰディスプレイ５０は、ＨＰＤピンとＡＵＸ＿ＣＨピンによりホット・プラグを実現する。なお、本実施の形態では、コンピュータ・システム１０は、検出ライン１２７の電位が上昇したときにＤＰディスプレイ５０が接続されたと認識するが、ＤＰディスプレイ５０にプルダウン抵抗を設けて、検出ラインの電位が下降したときにＤＰディスプレイ５０が接続されたことを認識するようにしてもよい。
【００４５】
［画像データの表示方法］
図４は、図１ないし図３で説明したディスプレイ接続システムにおいて、ＤＶＩディスプレイ７０またはＤＰディスプレイ５０に画像データを表示する手順を説明するフローチャートである。前提として、機能拡張装置３１にはノートＰＣ１１が接続されている。また、アダプタ１００はリセットされて、ＦＥＴ１１７はオフ状態になり、ＦＥＴ１１９はオン状態になっている。ＤＶＩコネクタ３７には、ＤＶＩコネクタで接続するいかなるデバイスでも接続することができる。第三者がアダプタ１００の模造品を製作して接続することもできるが、そのようなアダプタはＤＰディスプレイ５０の破損をもたらす可能性があるので、後に説明するように本実施の形態にかかるディスプレイ接続システムでは模造品の接続ができないようになっている。また、以下の手順においてビデオ・カード２１は、ビデオ・ドライバの制御のもとで動作する。
【００４６】
ブロック２０１では、ＤＶＩコネクタ３７にアダプタ１００またはＤＶＩディスプレイ７０が接続される。ＤＶＩディスプレイ７０が接続された場合は、ＤＶＩコネクタ３７のＨＰＤピンの電位が変化するのでコンピュータ・システム１０は、デバイスの接続を検出することができる。ＤＰコネクタ１０３にＤＰディスプレイ５０が接続されていないアダプタ１００が接続されたときは、ＤＶＩコネクタ３７のＨＰＤピンの電位は変化しないので、コンピュータ・システム１０の動作に変化は生じない。ＤＰコネクタ１０３にＤＰディスプレイ５０が接続されたアダプタ１００が接続されたときは、ＤＶＩコネクタ３７のＨＰＤピンの電位が変化するので、コンピュータ・システム１０はデバイスの接続を検出する。
【００４７】
コンピュータ・システム１０はＨＰＤピンの電位が変化したことを検出すると、アダプタ１００が接続された場合であっても、ＤＶＩディスプレイ７０が接続されたものと推定して動作を開始する。このように動作することで、ＤＶＩコネクタ３７にＤＶＩディスプレイ７０が接続された場合でも、コンピュータ・システム１０は、ＤＶＩディスプレイ７０を認識して画像データを表示させることができる。ブロック２０３では、ビデオ・カード２１がバス・マスタとなって、ＤＤＣ通信によりＤＶＩ規格のプロトコルで接続されたデバイスの種類を認識する作業を開始する。なお、この作業は通常はコンピュータ・システムの電源をオンにしてＢＩＯＳが動作しているＰＯＳＴの間、または、ＯＳが動作している間にホット・プラグの機能を利用して行われる。
【００４８】
ビデオ・カード２１は最初にＤＶＩディスプレイ７０に割り当てられている識別回路７５の固有アドレスを７ビットで指定した識別信号をＤＶＩコネクタ３７のＤＤＣピンから出力する。ブロック２０１でＤＶＩコネクタ３７にＤＶＩディスプレイ７０が接続されているときは、ブロック２０５に移行して、識別回路７５は自らのアドレスが指定されたことを認識し、ＤＤＣ＿Ｄａｔａラインから７ビットのアドレス信号を参照するＤＤＣ＿Ｃｌｏｃｋラインのクロック信号に続く８番目のクロック信号を参照してＤＤＣ＿Ｄａｔａラインをローに遷移させる。
【００４９】
８番目のクロック信号でＤＤＣ＿Ｄａｔａラインがローに引き下げられたことにより、ビデオ・カード２１は、接続されたデバイスがＤＶＩディスプレイ７０であることを認識する。ビデオ・カード２１は、続いてＤＤＣピンを通じて識別回路７５から、ＤＶＩディスプレイ７０のＥＤＩＤを取得し、ビデオ・ドライバはビデオ・カード２１にパラメータを設定する。パラメータの設定が終了したビデオ・カード２１が、ＤＶＩ形式のデータをＴＭＤＳピンからＤＶＩディスプレイ７０に出力すると、それを受け取った表示回路７３に画像が表示される。
【００５０】
ブロック２０１でアダプタ１００が接続されているときは、識別回路１０９はビデオ・カード２１からの識別信号において自分の固有アドレスが指定されていないので、８番目のクロックには応答しないでＤＤＣ＿Ｄａｔａラインをハイに維持しブロック２０７に移行する。ブロック２０７では、ビデオ・カード２１は固有アドレスに続く８番目のクロックでＤＤＣ＿Ｄａｔａラインがローに遷移しないことを認識すると、ＤＶＩコネクタ３７に接続されたデバイスが、ＤＰコネクタ１０３にＤＰディスプレイ５０が接続されたアダプタ１００であると推定する。そして、ビデオ・カード２１は、識別回路１０９の固有アドレスを指定して再びＤＤＣピンからＤＤＣ通信で識別信号を出力する。識別信号を受け取った識別回路１０９は、自らの固有アドレスが指定されたことを認識すると、８番目のクロックでＤＤＣ＿Ｄａｔａラインをローに遷移させてビデオ・チップ２１に自らの存在を示す応答をする。
【００５１】
ブロック２０９では、応答を受け取ったビデオ・カード２１は、ＤＶＩコネクタ３７にアダプタ１００が接続されたことを認識する。アダプタ１００の接続を認識したビデオ・カード２１は、ＤＤＣ通信で識別回路１０９にＦＥＴ１１７、１１９を制御するための制御信号を送り、識別回路１０９のレジスタに制御データを書き込む。制御データが書き込まれた識別回路１０９は、ＦＥＴ１１９をオフ状態にし、ＦＥＴ１１７をオン状態にするように制御回路１１１に信号を送る。ビデオ・カード２１から受け取った制御データをレジスタに書き込んだ識別回路１０９は、ＤＤＣ＿Ｄａｔａラインをローに遷移させてその旨をビデオ・カード２１に返信する。これ以降は、アダプタ１００の内部では識別回路１０９が電気的に分離されるため、ビデオ・カード２１とＤＰディスプレイ５０の識別回路５５との間での通信の際に、識別回路１０９が識別ライン１２５の信号伝搬の遅延をもたらす容量負荷となることを回避する。
【００５２】
ブロック２１１では、レジスタへ制御データを書き込んだことで、ビデオ・カード２１は、ＦＥＴ１１７、１１９の操作が完了したと判断する。ビデオ・カード２１は、レジスタに制御データを書き込んだ後に一定の時間をおいた後にＦＥＴ１１７、１１９の操作が完了したと判断するようにしてもよい。その後、ビデオ・カード２１はＤＰモードで動作し、ＦＥＴ１１７がオン状態に移行してからＤＰ規格のプロトコルでＤＰディスプレイ５０の識別回路５５と通信を行い、識別回路５５のＲＯＭに格納されたＥＤＩＤを取得する。ビデオ・カード２１は、識別回路５５からＥＤＩＤを取得できない場合は、複数回通信を試みるようにしてもよい。ブロック２１３では、ビデオ・ドライバが、識別回路５５から取得したＥＤＩＤに基づいてビデオ・カード２１にパラメータを設定する。
【００５３】
ビデオ・カード２１は設定されたパラメータに基づいて、ＤＶＩコネクタ３７のＴＭＤＳピンからＤＰ形式の画像データをＤＣカップリングで出力する。画像データは、直列コンデンサ１１３でカップリング変換され、ＤＰコネクタ１０３からＡＣカップリングで表示回路５３に転送される。上記の手順によれば、ＤＶＩモードまたはＤＰモードで動作するビデオ・カード２１が、ＤＶＩコネクタ３７から出力する際に、デバイスの検出のためのＤＤＣ通信をＤＶＩ規格の電圧で行う場合でも、誤ってＤＰディスプレイに高い電圧が印加されることを防ぐことができる。また、コンピュータ・システム１０はアダプタ１００の接続を自動的に認識して、ＤＰディスプレイ５０にＤＰ形式の画像データを表示することができる。
【００５４】
ここで、識別回路１０９のＲＯＭに固有アドレスを格納しないで、識別回路１０９が自律的に制御回路１１１を制御するように構成することも考えられる。たとえば、ビデオ・カード２１が最初にＤＶＩディスプレイ７０の固有アドレスを指定してＤＤＣラインから識別信号を送ったときに、識別回路１０９は自らが呼び出されたと推定することができる。そして、ビデオ・カード２１から自らの固有アドレスが指定されなくても、ＦＥＴ１１７をオン状態にし、ＦＥＴ１１９をオフ状態に制御することができる。この場合は、識別回路１０９をコンピュータ・システム１０が保有する固有アドレスに基づいて制御する必要がなくなるが、そのようなアダプタは容易に模倣され、ＤＰディスプレイ５０の安全を維持することができなくなる。したがって、本実施の形態のように固有アドレスに基づいてコンピュータ・システム１０がＦＥＴ１１７の制御をすることが望ましい。
【００５５】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【図面の簡単な説明】
【００５６】
【図１】本発明の実施の形態にかかるディスプレイ接続システムの全体構成を示すブロック図である。
【図２】ＤＶＩコネクタにおけるピン・マッピングを説明する図である。
【図３】ディスプレイ接続システムの詳細を示すブロック図である。
【図４】ＤＶＩディスプレイまたはＤＰディスプレイに画像データを表示する手順を説明するフローチャートである。
【符号の説明】
【００５７】
１０…コンピュータ・システム
１１…ノートＰＣ
３１…機能拡張装置
５０…ＤＰディスプレイ
７０…ＤＶＩディスプレイ
３７、７１、１０１…ＤＶＩコネクタ
５１、１０３…ＤＰコネクタ
１００…アダプタ
【図１】
2010101976.tif 000003
【図２】
2010101976.tif 000004
【図３】
2010101976.tif 000005
【図４】
2010101976.tif 000006